【手続補正書】
【提出日】平成24年2月9日(2012.2.9)
【手続補正１】
【補正対象書類名】特許請求の範囲
【補正対象項目名】全文
【補正方法】変更
【補正の内容】
【特許請求の範囲】
【請求項１】
下記一般式（Ｉ）で表される化合物及び下記一般式（II）で表される化合物を含有することを特徴とするインクジェット用インク。
2012052118.tif 000001
（一般式（Ｉ）中、［Ａ］は５員複素環基であり、［Ｂ］及び［Ｃ］は、ＣＲ1及びＣＲ2であるか、又は、一方が窒素原子で他方がＣＲ1であり、Ｒ5及びＲ6はそれぞれ独立に、水素原子又は下記に挙げる群から選ばれるいずれかの置換基である。該置換基の群は、脂肪族基、芳香族基、複素環基、アシル基、アルコキシカルボニル基、アリールオキシカルボニル基、カルバモイル基、アルキルスルホニル基、アリールスルホニル基、及びスルファモイル基からなり、該置換基の水素原子は置換されていてもよい。また、式中の［Ｄ］、並びに、［Ｂ］及び［Ｃ］の一部を構成し得る上記のＲ1及びＲ2は、それぞれ独立に、水素原子又は下記に挙げる群から選ばれるいずれかの置換基である。該置換基の群は、ハロゲン原子、脂肪族基、芳香族基、複素環基、シアノ基、カルボキシ基、カルバモイル基、アルコキシカルボニル基、アリールオキシカルボニル基、複素環オキシカルボニル基、アシル基、ヒドロキシ基、アルコキシ基、アリールオキシ基、複素環オキシ基、シリルオキシ基、アシルオキシ基、カルバモイルオキシ基、アルコキシカルボニルオキシ基、アリールオキシカルボニルオキシ基、アミノ基、アシルアミノ基、ウレイド基、スルファモイルアミノ基、アルコキシカルボニルアミノ基、アリールオキシカルボニルアミノ基、アルキルスルホニルアミノ基、アリールスルホニルアミノ基、複素環スルホニルアミノ基、ニトロ基、アルキルチオ基、アリールチオ基、複素環チオ基、アルキルスルホニル基、アリールスルホニル基、複素環スルホニル基、アルキルスルフィニル基、アリールスルフィニル基、複素環スルフィニル基、スルファモイル基、及びスルホン酸基からなり、該置換基の水素原子は置換されていてもよく、Ｒ1及びＲ5、又はＲ5及びＲ6が結合して、５員環又は６員環を形成してもよい。）
2012052118.tif 000002
（一般式（II）中、−［Ｅ］−は、−Ｓ（＝Ｏ）2−であり、Ｒx及びＲyは、それぞれ独立に、水素原子、ヒドロキシ基、アルキル基、ヒドロキシアルキル基、アルケニル基、アシル基、カルバモイル基、カルボキシ基、及びスルホニル基のいずれかである。ただし、Ｒx及びＲyが同時に水素原子及び／又はヒドロキシ基となることはない。）
【請求項２】
インク中の一般式（II）で表される化合物の含有量（質量％）が、インク全質量を基準として１．０質量％以上３０．０質量％以下である請求項１に記載のインクジェット用インク。
【請求項３】
前記一般式（II）で表される化合物が、ビス（２−ヒドロキシエチル）スルホンである請求項１又は２に記載のインクジェット用インク。
【請求項４】
さらにグリセリンを含有する請求項１乃至３のいずれか１項に記載のインクジェット用インク。
【請求項５】
インク全質量を基準とした、前記一般式（II）で表される化合物の含有量（質量％）及びグリセリンの含有量（質量％）の合計が、８．０質量％以上２３．０質量％以下である請求項４に記載のインクジェット用インク。
【請求項６】
インク全質量を基準とした、前記一般式（II）で表される化合物の含有量（質量％）が、グリセリンの含有量（質量％）に対して、質量比率で、０．４０以上５．９０以下である請求項４又は５に記載のインクジェット用インク。
【請求項７】
インクをインクジェット方式で吐出して記録を行うインクジェット記録方法であって、前記インクが、請求項１乃至６のいずれか１項に記載のインクジェット用インクであることを特徴とするインクジェット記録方法。
【請求項８】
インクを収容してなるインク収容部を備えたインクカートリッジであって、前記インクが、請求項１乃至６のいずれか１項に記載のインクジェット用インクであることを特徴とするインクカートリッジ。
【請求項９】
インクを収容してなるインク収容部と、インクを吐出するための記録ヘッドとを備えた記録ユニットであって、前記インクが、請求項１乃至６のいずれか１項に記載のインクジェット用インクであることを特徴とする記録ユニット。
【請求項１０】
インクを収容してなるインク収容部と、インクを吐出するための記録ヘッドとを備えたインクジェット記録装置であって、前記インクが、請求項１乃至６のいずれか１項に記載のインクジェット用インクであることを特徴とするインクジェット記録装置。
【手続補正２】
【補正対象書類名】明細書
【補正対象項目名】００１１
【補正方法】変更
【補正の内容】
【００１１】
上記の目的は以下の本発明によって達成される。すなわち、本発明にかかるインクジェット用インクは、下記一般式（Ｉ）で表される化合物及び下記一般式（II）で表される化合物を含有することを特徴とする。
2012052118.tif 000003
（一般式（Ｉ）中、［Ａ］は５員複素環基であり、［Ｂ］及び［Ｃ］は、ＣＲ1及びＣＲ2であるか、又は、一方が窒素原子で他方がＣＲ1であり、Ｒ5及びＲ6はそれぞれ独立に、水素原子又は下記に挙げる群から選ばれるいずれかの置換基である。該置換基の群は、脂肪族基、芳香族基、複素環基、アシル基、アルコキシカルボニル基、アリールオキシカルボニル基、カルバモイル基、アルキルスルホニル基、アリールスルホニル基、及びスルファモイル基からなり、該置換基の水素原子は置換されていてもよい。また、式中の［Ｄ］、並びに、［Ｂ］及び［Ｃ］の一部を構成し得る上記のＲ1及びＲ2は、それぞれ独立に、水素原子又は下記に挙げる群から選ばれるいずれかの置換基である。該置換基の群は、ハロゲン原子、脂肪族基、芳香族基、複素環基、シアノ基、カルボキシ基、カルバモイル基、アルコキシカルボニル基、アリールオキシカルボニル基、複素環オキシカルボニル基、アシル基、ヒドロキシ基、アルコキシ基、アリールオキシ基、複素環オキシ基、シリルオキシ基、アシルオキシ基、カルバモイルオキシ基、アルコキシカルボニルオキシ基、アリールオキシカルボニルオキシ基、アミノ基、アシルアミノ基、ウレイド基、スルファモイルアミノ基、アルコキシカルボニルアミノ基、アリールオキシカルボニルアミノ基、アルキルスルホニルアミノ基、アリールスルホニルアミノ基、複素環スルホニルアミノ基、ニトロ基、アルキルチオ基、アリールチオ基、複素環チオ基、アルキルスルホニル基、アリールスルホニル基、複素環スルホニル基、アルキルスルフィニル基、アリールスルフィニル基、複素環スルフィニル基、スルファモイル基、及びスルホン酸基からなり、該置換基の水素原子は置換されていてもよく、Ｒ1及びＲ5、又はＲ5及びＲ6が結合して、５員環又は６員環を形成してもよい。）
2012052118.tif 000004
（一般式（II）中、−［Ｅ］−は、−Ｓ（＝Ｏ）2−であり、Ｒx及びＲyは、それぞれ独立に、水素原子、ヒドロキシ基、アルキル基、ヒドロキシアルキル基、アルケニル基、アシル基、カルバモイル基、カルボキシ基、及びスルホニル基のいずれかである。ただし、Ｒx及びＲyが同時に水素原子及び／又はヒドロキシ基となることはない。）
【手続補正３】
【補正対象書類名】明細書
【補正対象項目名】０１６９
【補正方法】変更
【補正の内容】
【０１６９】
以下、実施例、参考例及び比較例を用いて本発明をさらに詳細に説明するが、本発明は、その要旨を超えない限り、下記の実施例によって何ら限定されるものではない。なお、特に指定のない限り、実施例、参考例及び比較例のインク成分は「質量部」を意味する。また、文中の記載で「部」及び「％」とあるものは特に断りのない限り質量基準である。
【手続補正４】
【補正対象書類名】明細書
【補正対象項目名】０１８４
【補正方法】変更
【補正の内容】
【０１８４】
＜インクの調製＞
上記で得られた色材である例示化合物Ｉ−４６、及びIII−１、及びＣ．Ｉ．ダイレクトレッド２２７、Ｃ．Ｉ．ダイレクトレッド５２、Ｃ．Ｉ．ダイレクトブルー１９９、Ｃ．Ｉ．アシッドイエロー２３を用い、下記のようにしてインクをそれぞれ調製した。先ず、下記表３及び４の上段に示した各成分をそれぞれ混合して、十分撹拌した。その後、ポアサイズ０．２μｍのフィルターにて加圧ろ過を行い、実施例、参考例及び比較例の各インクを調製した。なお、表３及び４の下段には、各インクの主特性を併せて示した。
【手続補正５】
【補正対象書類名】明細書
【補正対象項目名】０１８８
【補正方法】変更
【補正の内容】
【０１８８】
2012052118.tif 000005
【手続補正６】
【補正対象書類名】明細書
【補正対象項目名】０１９６
【補正方法】変更
【補正の内容】
【０１９６】
2012052118.tif 000006